(57)【要約】【課題】記録媒体から画像を効率的に検索することができる画像表示装置、該画像表示装置を備えたカメラ及び画像表示制御方法並びに画像表示制御プログラムを提供することである。【解決手段】コマ番号に対応した画像が画像表示部１２に表示され、この画像表示部１２に表示される画像は画像処理部１０で作成される。操作部８の指示により画像表示部１２に表示中の画像のコマ番号より所定数分先のコマ番号の画像の表示が指示されると、画像処理部１０にて、表示中のコマ番号とジャンプ先のコマ番号までの間の途中画像が小画面の集合画像であるマルチ画像として作成され、上記画像表示部１２に、上記マルチ画像が所定時間毎に順次表示された後に上記所定数分先のコマ番号の画像が全画面表示される。【選択図】      図１
2008079323.tif 000002
【特許請求の範囲】
【請求項１】
表示画像を作成する画像処理手段と、
上記画像処理手段で作成された画像を表示する画像表示手段と、
上記画像処理手段と上記画像表示手段を制御する表示制御手段と、
上記画像表示手段に、表示中の画像のコマ番号より所定数分先のコマ番号の画像の表示を指示するジャンプ指示手段と、
を具備し、
上記ジャンプ指示手段による指示があった場合に、上記表示制御手段は、上記画像処理手段に上記表示中のコマ番号と上記所定数分先のコマ番号までの間の途中画像を小画面の集合画像であるマルチ画像として作成させ、上記画像表示手段に、上記マルチ画像を所定時間毎に順次表示させた後に上記所定数分先のコマ番号の画像を全画面表示させるようにしたことを特徴とする画像表示装置。
【請求項２】
上記表示制御手段は、上記画像処理手段に上記途中画像として異なる小画面数から成る複数のマルチ画像を作成させ、上記画像表示手段に上記画像処理手段で作成された上記異なる小画面数から成る複数のマルチ画像を順次表示させることを特徴とする請求項１に記載の画像表示装置。
【請求項３】
上記途中画像の表示中に該途中画像の表示中止を指示する中止指示手段を更に具備し、
上記表示制御手段は、上記中止指示手段による表示中止の指示があった場合に、該表示中止の指示があった時点で途中画像の表示を中止し、上記所定数分先のコマ番号の画像を上記画像表示手段に全画面表示させるようにしたことを特徴とする請求項１乃至２の何れか１項に記載の画像表示装置。
【請求項４】
上記途中画像の表示中に該途中画像の表示継続を指示する表示継続指示手段を更に具備し、
上記表示制御手段は、上記表示継続指示手段による表示継続の指示があった場合に、当該表示中のマルチ画像の少なくとも１つの画像を継続的に上記画像表示手段に表示させることを特徴とする請求項１乃至３の何れか１項に記載の画像表示装置。
【請求項５】
上記小画面数は、上記表示中の画像の次に表示するマルチ画面と上記所定数分先のコマの直前に表示するマルチ画面では少なく、その途中のマルチ画面では多いことを特徴とする請求項２乃至４の何れか１項に記載の画像表示装置。
【請求項６】
上記小画面数は、上記表示中の画像の次に表示するマルチ画面と上記所定数分先のコマの直前に表示するマルチ画面は同じ数で、その途中のマルチ画面ではそれより多いことを特徴とする請求項２乃至５の何れか１項に記載の画像表示装置。
【請求項７】
上記小画面数は、上記表示中の画像の次に表示するマルチ画面と上記所定数分先のコマの直前に表示するマルチ画面は同じ小画面数で、その途中のマルチ画面では縦横の分割数に１を足すことで得られる小画面数であることを特徴とする請求項２乃至６の何れか１項に記載の画像表示装置。
【請求項８】
上記ジャンプ指示手段と上記中止指示手段は同じ操作部材であることを特徴とする請求項３に記載の画像表示装置。
【請求項９】
上記ジャンプ指示手段と上記表示継続指示手段は異なる操作部材であることを特徴とする請求項４に記載の画像表示装置。
【請求項１０】
請求項１乃至９の何れか１項に記載の画像表示装置を備えたことを特徴とするカメラ。
【請求項１１】
指示に応じて画像表示手段に画像のコマ番号に基づいた順番で画像を表示させる画像表示制御方法に於いて、
上記画像表示手段に所定数分先のコマ番号の画像の表示を指示するステップと、
上記所定数分先のコマ番号の画像の表示が指示されると、上記表示中の画像のコマ番号と上記所定数分先の画像のコマ番号までの間の途中画像を小画面の集合画像であるマルチ画像として作成するステップと、
上記画像表示手段に、上記作成するステップにより作成された上記途中画像を所定時間毎に順次表示した後、上記所定分数分先のコマ番号の画像を全画面表示させるステップと、
を具備することを特徴とする画像表示制御方法。
【請求項１２】
指示に応じて画像表示手段に画像のコマ番号に基づいた順番で、コンピュータにより画像を表示させる画像表示制御プログラムに於いて、
上記画像表示手段に所定数分先のコマ番号の画像の表示を指示するように促すステップと、
上記所定数分先のコマ番号の画像の表示が指示されると、上記表示中のコマ番号と上記所定数分先のコマ番号までの間の途中画像を小画面の集合画像であるマルチ画像として作成するように促すステップと、
上記画像表示手段に、上記作成するステップにより作成された上記途中画像を所定時間毎に順次表示させた後、上記所定分数分先のコマ番号の画像を全画面表示させるように促すステップと、
を具備することを特徴とする画像表示制御プログラム。
【発明の詳細な説明】
【技術分野】
【０００１】
本発明は、画像表示装置、該画像表示装置を備えたカメラ及び画像表示制御方法並びに画像表示制御プログラムに関し、特に画像を検索するための画像表示装置、画像を検索するための画像表示装置を備えたデジタルカメラに関するものである。
【背景技術】
【０００２】
一般に、デジタルカメラの記録媒体には、多数の画像が保存可能である。例えば６４ＭＢのメモリであっても、１００枚以上の画像を保存することが可能である。そして、メモリ量は今後も増大する傾向にあるので、１つの媒体に記録できる画像はますます増えていく。そのため、記録媒体に保存されている画像の中から所望の画像を得るために、効率的な画像検索ができる表示装置が必要になっている。
【０００３】
例えば、画像の表示部に１コマずつを順次再生していくが、その再生速度を所定の釦の指示等に応じて変えることができる画像検索方法が知られている（例えば特許文献１参照）。
【０００４】
また、カメラに付属されている表示部のＬＣＤに、４コマまたは９コマの画像を表示させて、この表示された画像を見ながら検索する、いわゆる、マルチ画面表示と称されるデジタルカメラ独特の検索用表示が知られている（例えば、特許文献２参照）
【特許文献１】特開平１１−１４６３２６号公報
【特許文献２】特開平１０−２４３３３１号公報
【発明の開示】
【発明が解決しようとする課題】
【０００５】
しかしながら、上述した特許文献１に開示されているように、釦操作で再生速度を変えるのは手間がかかり、適切な速度の設定が容易でないという課題を有している。
【０００６】
また、上述した特許文献２は、マルチ画面表示で順番に送って検索する方法であり、１コマあたりの大きさが小さいのでそのままでは確認し難いものであった。
【０００７】
したがって本発明は上記課題に鑑みてなされたものであり、記録媒体から画像を効率的に検索することのできる画像表示装置、該画像表示装置を備えたカメラ及び画像表示制御方法並びに画像表示制御プログラムを提供することを目的とする。
【課題を解決するための手段】
【０００８】
すなわち、請求項１に記載の発明は、表示画像を作成する画像処理手段と、上記画像処理手段で作成された画像を表示する画像表示手段と、上記画像処理手段と上記画像表示手段を制御する表示制御手段と、上記画像表示手段に、表示中の画像のコマ番号より所定数分先のコマ番号の画像の表示を指示するジャンプ指示手段と、を具備し、上記ジャンプ指示手段による指示があった場合に、上記表示制御手段は、上記画像処理手段に上記表示中のコマ番号と上記所定数分先のコマ番号までの間の途中画像を小画面の集合画像であるマルチ画像として作成させ、上記画像表示手段に、上記マルチ画像を所定時間毎に順次表示させた後に上記所定数分先のコマ番号の画像を全画面表示させるようにしたことを特徴とする画像表示装置。
【０００９】
請求項２に記載の発明は、請求項１に記載の発明に於いて、上記表示制御手段は、上記画像処理手段に上記途中画像として異なる小画面数から成る複数のマルチ画像を作成させ、上記画像表示手段に上記画像処理手段で作成された上記異なる小画面数から成る複数のマルチ画像を順次表示させることを特徴とする。
【００１０】
請求項３に記載の発明は、請求項１乃至２の何れか１項に記載の発明に於いて、上記途中画像の表示中に該途中画像の表示中止を指示する中止指示手段を更に具備し、上記表示制御手段は、上記中止指示手段による表示中止の指示があった場合に、該表示中止の指示があった時点で途中画像の表示を中止し、上記所定数分先のコマ番号の画像を上記画像表示手段に全画面表示させるようにしたことを特徴とする。
【００１１】
請求項４に記載の発明は、請求項１乃至３の何れか１項に記載の発明に於いて、上記途中画像の表示中に該途中画像の表示継続を指示する表示継続指示手段を更に具備し、上記表示制御手段は、上記表示継続指示手段による表示継続の指示があった場合に、当該表示中のマルチ画像の少なくとも１つの画像を継続的に上記画像表示手段に表示させることを特徴とする。
【００１２】
請求項５に記載の発明は、請求項２乃至４の何れか１項に記載の発明に於いて、上記小画面数は、上記表示中の画像の次に表示するマルチ画面と上記所定数分先のコマの直前に表示するマルチ画面では少なく、その途中のマルチ画面では多いことを特徴とする。
【００１３】
請求項６に記載の発明は、請求項２乃至５の何れか１項に記載の発明に於いて、上記小画面数は、上記表示中の画像の次に表示するマルチ画面と上記所定数分先のコマの直前に表示するマルチ画面は同じ数で、その途中のマルチ画面ではそれより多いことを特徴とする。
【００１４】
請求項７に記載の発明は、請求項２乃至６の何れか１項に記載の発明に於いて、上記小画面数は、上記表示中の画像の次に表示するマルチ画面と上記所定数分先のコマの直前に表示するマルチ画面は同じ小画面数で、その途中のマルチ画面では縦横の分割数に１を足すことで得られる小画面数であることを特徴とする。
【００１５】
請求項８に記載の発明は、請求項３に記載の発明に於いて、上記ジャンプ指示手段と上記中止指示手段は同じ操作部材であることを特徴とする。
【００１６】
請求項９に記載の発明は、積４に記載の発明に於いて、上記ジャンプ指示手段と上記表示継続指示手段は異なる操作部材であることを特徴とする。
【００１７】
請求項１０に記載の発明は、請求項１乃至９の何れか１項に記載の画像表示装置を備えたことを特徴とする。
【００１８】
請求項１１に記載の発明は、指示に応じて画像表示手段に画像のコマ番号に基づいた順番で画像を表示させる画像表示制御方法に於いて、上記画像表示手段に所定数分先のコマ番号の画像の表示を指示するステップと、上記所定数分先のコマ番号の画像の表示が指示されると、上記表示中の画像のコマ番号と上記所定数分先の画像のコマ番号までの間の途中画像を小画面の集合画像であるマルチ画像として作成するステップと、上記画像表示手段に、上記作成するステップにより作成された上記途中画像を所定時間毎に順次表示した後、上記所定分数分先のコマ番号の画像を全画面表示させるステップと、を具備することを特徴とする。
【００１９】
請求項１２に記載の発明は、指示に応じて画像表示手段に画像のコマ番号に基づいた順番で、コンピュータにより画像を表示させる画像表示制御プログラムに於いて、上記画像表示手段に所定数分先のコマ番号の画像の表示を指示するように促すステップと、上記所定数分先のコマ番号の画像の表示が指示されると、上記表示中のコマ番号と上記所定数分先のコマ番号までの間の途中画像を小画面の集合画像であるマルチ画像として作成するように促すステップと、上記画像表示手段に、上記作成するステップにより作成された上記途中画像を所定時間毎に順次表示させた後、上記所定分数分先のコマ番号の画像を全画面表示させるように促すステップと、を具備することを特徴とする。
【発明の効果】
【００２０】
本発明によれば、記録媒体から画像を効率的に検索することができる画像表示装置、該画像表示装置を備えたカメラ及び画像表示制御方法並びに画像表示制御プログラムを提供することができる。
【発明を実施するための最良の形態】
【００２１】
以下、図面を参照して本発明の実施の形態を説明する。
【００２２】
（第１の実施の形態）
図１は、本発明の第１の実施の形態に係るデジタルカメラの概略構成を示す機能ブロック図である。
【００２３】
図１に於いて、撮影部１はズーム変倍機能を有した撮影用のレンズ２と、撮像素子３とを有して構成されている。図示されない被写体からの撮影光束は、撮影レンズ２を介して撮像素子３に取り込まれて光電変換される。そして、この光電変換された出力は、撮像部４にてデジタル画像として処理される。
【００２４】
この撮像部４は、バス５を介して、ＣＰＵ７と、ＤＲＡＭ９と、画像処理部１０と、メモリカード１１と、画像表示部１２とに接続されている。
【００２５】
上記ＣＰＵ７はこのデジタルカメラ全体の制御を司るものであり、表示制御手段である画像表示制御部７ａや図示されないタイマ等を有して構成されている。画像表示制御部７ａは、後述するフローチャートの動作処理を主に実行する。また、このＣＰＵ７には、図示されないが、パワースイッチ、レリーズスイッチ、ズームスイッチの他、詳細を後述する選択釦やＯＫ釦に対応したスイッチ等を有した操作部８が接続されている。
【００２６】
上記ＤＲＡＭ９は、画像処理前の画像や、画像処理中の画像を一時的に記憶するためのメモリである。また画像処理部１０は、上記画像表示部１２に表示されるべく画像や、メモリカード１１に記録されるまたはメモリカード１１から読み出される画像に対して各種処理を行うための画像処理手段である。
【００２７】
上記メモリカード１１は、このデジタルカメラの記憶媒体として画像を記録するためのものであり、カメラ本体より着脱自在に構成されている。
【００２８】
更に、上記画像表示部１２は画像表示手段として機能するものであり、上記画像処理部１０で処理された画像を表示する。この画像表示部１２は、例えばＬＣＤパネル等により構成されている。
【００２９】
図２は、第１の実施の形態に係るデジタルカメラを背面側から見た外観斜視図である。
【００３０】
図２に於いて、カメラ本体１５の前面部には撮影レンズ１６が装着されている。そして、カメラ本体１５の上面部には、上述したレリーズスイッチに対応したレリーズ釦１７と、ズームスイッチに対応してズームアップ、ズームダウンを行うためのズーム釦１８と、撮影コマや撮影シーン等、カメラの各種情報を表示するための表示窓１９とが設けられている。
【００３１】
また、カメラ本体１５の背面部には、ファインダ窓２０と、４つの釦２１ａ〜２１ｄから成る選択釦２１と、上記画像表示部１２に対応するもので、撮影された画像や被写体画像を表示するための表示パネル（ＬＣＤパネル）２２と、撮影及び画像の再生時に各種設定操作を行うための複数の操作釦２３と、が設けられている。
【００３２】
上記選択釦２１は、表示窓１９やＬＣＤパネル２２上に於いて、情報選択を行うために上下左右各方向へのカーソル（図示せず）移動用のキーとして設けられている。ここでは、上方向の選択釦を上釦２１ａ、左方向の選択釦を左釦２１ｂ、右方向の選択釦を右釦２１ｃ、下方向の選択釦を下釦２１ｄと称する。尚、本発明に於いては、この下釦２１ｄがジャンプ指示手段、中止指示手段並びに表示継続指示手段としての機能を有している。
【００３３】
また、上記複数の操作釦２３は、詳細を後述するが、例えばその釦を押下することで操作を決定するＯＫ釦２３ａや、後述する「マルチ画像ジャンプ送り」や「連続再生画像ジャンプ送り」のジャンプ送りモードを選択する釦や、再生される画像のコマ番号を指示するコマ番号指示手段に対応した釦を有している。
【００３４】
次に、このように構成されたデジタルカメラの作用について説明する。
【００３５】
尚、ここでは、予め記録された画像を再生して表示する動作についてのみ説明し、撮影等、他の処理動作については説明を省略する。
【００３６】
図３は、このデジタルカメラの画像表示動作を説明するフローチャートである。
【００３７】
いま、メモリカード１１から、ある画像が読み出されると、ステップＳ１にて画像処理部１０を経て画像表示部１２（ＬＣＤパネル２２）に当該画像が表示される。この状態で、選択釦の何れが押下されたかにより、ＬＣＤパネル２２に表示される画像が切り替えられる。
【００３８】
ステップＳ２に於いては、左釦２１ｂの状態が判断される。ここで、左釦２１ｂが押下されたならばステップＳ３へ移行する。そして、ステップＳ３にて、現在ＬＣＤパネル２２に表示されている画像より１つ前のコマ番号の画像が表示される。
【００３９】
一方、上記ステップＳ２にて左釦２１ｂが押下されない場合は、ステップＳ４に移行して右釦２１ｃの状態が判断される。その結果、右釦２１ｃが押下されたならば、ステップＳ５に移行して、現在ＬＣＤパネル２２に表示されている画像より１つ後のコマ番号の画像が表示される。
【００４０】
また、上記ステップＳ４にて右釦２１ｃが押下されていない場合は、ステップＳ６に移行して下釦２１ｄの状態が判断される。そして、ステップＳ６にて下釦２１ｄが押下されたならば、途中のコマ番号の画像をスキップして幾つか先のコマ番号の画像を表示する、ジャンプ送りの処理に移行する。
【００４１】
ステップＳ７では、このジャンプ処理に際して、ジャンプの途中に表示される画像がマルチ画像表示であるか否かが判断される。ここで、マルチ画像表示とは、ＬＣＤパネル２２に同時に複数の画像が表示されることを称するものとする。その結果、マルチ画像表示であればステップＳ８へ移行して、「マルチ画像ジャンプ送り」の処理が行われる。一方、上記ステップＳ７でマルチ画像表示でないと判断された場合は、ステップＳ９へ移行して、「連続再生画像ジャンプ送り」の処理が行われる。
【００４２】
次に、図４の画面の説明図及び図５のフローチャートを参照して、上述した「マルチ画像ジャンプ送り」の処理動作について説明する。
【００４３】
図４（ａ）に示されるように、現在ＬＣＤパネル２２に１コマ目の画像が表示されているものとする。そして、下釦２１ｄが押下されると、本ルーチンに入る。
【００４４】
尚、以下に述べる実施の形態に於いて、図中の画面内に示される数字はコマ番号を表している。
【００４５】
ステップＳ１１では、先ず、現在表示中の画像のコマ番号（この場合“１”）とジャンプ先の画像のコマ番号（この場合“１１”）までの途中のコマの画像（この場合“２”〜“１０”）が、画像処理部１０等によりマルチ画像に変換されて作成される。例えば、この場合は、表示画像が９分割されたマルチ画像が作成される。尚、このマルチ画像は画像処理部１０で作成されるが、その作成方法については周知であるので、説明は省略する。
【００４６】
次いで、ステップＳ１２にて、図４（ｂ）に示されるように、作成された９分割のマルチ画像がＬＣＤパネル２２に表示される。このマルチ画像は、ＣＰＵ７内の図示されないタイマにより、ステップＳ１３で所定時間、例えば１秒が経過するまで表示される。
【００４７】
ステップＳ１４では、図４（ｃ）に示されるように、ジャンプ先のコマ番号である１１コマ目の画像がＬＣＤパネル２２に表示される。
【００４８】
このように、第１の実施の形態によれば、メモリカードに記録された多数の画像の中から所望の画像を検索する場合に、検索速度を損なわないレベルで途中コマの画像を確認することができるので、検索漏れを防止することができる。ジャンプ先のコマまでの途中コマを全て順次表示していくようなスライドショウタイプの表示では、１コマ辺りの表示時間がいきおい短くなり、検索漏れが生じやすいのに比べて、マルチ画像表示では不要なコマは見ずに関連のあるコマのみを見るように自然になるので、検索漏れを防止することができる。
【００４９】
（第２の実施の形態）
次に、本発明の第２の実施の形態について、図６の画面の説明図及び図７のフローチャートを参照して説明する。
【００５０】
尚、以下に述べる実施の形態に於いて、デジタルカメラの構成及び「マルチ画像ジャンプ送り」の処理動作以外は、上述した第１の実施の形態と同じであるので、同一の部分には同一の参照番号を付して説明は省略する。
【００５１】
この第２の実施の形態も、「マルチ画像ジャンプ送り」の処理動作の例であるが、上述した第１の実施の形態が途中のジャンプ時には１つのマルチ画像を表示するだけであったのに対し、第２の実施の形態では複数のマルチ画像を表示するようにしている。
【００５２】
図６（ａ）に示されるように、現在ＬＣＤパネル２２に１コマ目の画像が表示されているものとする。そして、下釦２１ｄが押下されると、本ルーチンに入る。ステップＳ２１では、先ず、現在表示中の画像のコマ番号（この場合“１”）とジャンプ先の画像のコマ番号（この場合“２０”）までの途中のコマの画像（この場合“２”〜“１９”）のうち、第１画面目のマルチ画像（コマ番号“２”〜“１０”）が、画像処理部１０等により作成される。例えば、この場合は、表示画像が９分割された２コマ目から１０コマ目までのマルチ画像が作成される。尚、このマルチ画像の作成方法については周知であるので、説明は省略する。
【００５３】
次いで、ステップＳ２２にて、図６（ｂ）に示されるように、作成された第１画面目の９分割のマルチ画像がＬＣＤパネル２２に表示される。このマルチ画像については、ステップＳ２３にて、マルチ画像表示中に下釦２１ｄが再度押下された場合は、マルチ画像表示を中止してステップＳ２７へ移行する。上記ステップＳ２３にて、下釦２１ｄが押下されなければＣＰＵ７内の図示されないタイマにより、ステップＳ２４で所定時間、例えば１秒が経過するまで表示される。
【００５４】
更に、ステップＳ２５に於いて、ジャンプ先のコマ番号までにマルチ画像がまだ存在するか否かが判断される。ここで、まだマルチ画像がある場合は、次画面有りとして、上記ステップＳ２６に移行する。この場合、図６（ｃ）に示されるような、１１コマ目から１９コマ目までのマルチ画像が、第２画面として存在しているので、ステップＳ２６にて画面数がインクリメントされた後、上記ステップＳ２１へ移行する。その後、以降の処理が繰り返される。
【００５５】
そして、上記ステップＳ２５にて、次画面が存在しない場合は、ステップＳ２７へ移行して、図６（ｄ）に示されるように、ジャンプ先のコマ番号である２０コマ目の画像がＬＣＤパネル２２に表示される。
【００５６】
このように、第２の実施の形態によれば、複数のマルチ画像を順次表示させることができるので、ジャンプする間の途中のコマ数が多い場合でも、途中コマの画像を確認することができる。
【００５７】
（第３の実施の形態）
次に、本発明の第３の実施の形態について、図８の画面の説明図及び図９のフローチャートを参照して説明する。
【００５８】
この第３の実施の形態も、「マルチ画像ジャンプ送り」の処理動作の例であるが、上述した第２の実施の形態が途中のジャンプ時に複数のマルチ画像を表示していたのに対し、表示中のマルチ画像を継続的に表示させるようにしている。
【００５９】
図８（ａ）に示されるように、現在ＬＣＤパネル２２に１コマ目の画像が表示されているものとする。そして、下釦２１ｄが押下されると、本ルーチンに入る。ステップＳ３１では、先ず、現在表示中の画像のコマ番号（この場合“１”）とジャンプ先の画像のコマ番号（この場合“２０”）までの途中のコマの画像（この場合“２”〜“１９”）のうち、第１画面目のマルチ画像（コマ番号“２”〜“１０”）が、画像処理部１０等により作成される。例えば、この場合は、表示画像が９分割された２コマ目から１０コマ目までのマルチ画像が作成される。尚、このマルチ画像の作成方法については周知であるので、説明は省略する。
【００６０】
次いで、ステップＳ３２にて、図８（ｂ）に示されるように、作成された第１画面目の９分割のマルチ画像がＬＣＤパネル２２に表示される。そして、ステップＳ３３に於いて、上記マルチ画像の表示中にＯＫ釦２３ａが操作されたか否かが判断される。ここで、ＯＫ釦２３ａが操作されない場合は、ステップＳ３４に移行して、ＣＰＵ７内の図示されないタイマにより、所定時間、例えば１秒が経過したか否かが判断される。その結果、所定時間が経過していなければ上記ステップＳ３２へ移行し、経過していればステップＳ３５へ移行する。
【００６１】
ステップＳ３５では、ジャンプ先のコマ番号までにマルチ画像がまだ存在するか否かが判断される。ここで、まだマルチ画像がある場合は、次画面有りとして、上記ステップＳ３６に移行する。この場合、１１コマ目から１９コマ目までのマルチ画像が第２画面として存在している。したがって、ステップＳ３６にて画面数がインクリメントされた後、上記ステップＳ３１へ移行する。その後、ステップＳ３１〜Ｓ３５の処理が繰り返される。
【００６２】
また、上記ステップＳ３５にて、次画面が存在しない場合は、ステップＳ３７へ移行して、図示されないが、ジャンプ先のコマ番号である２０コマ目の画像がＬＣＤパネル２２に表示される。
【００６３】
一方、上記ステップＳ３３にて、図８（ｂ）に示されるようなマルチ画像の表示中にＯＫ釦２３ａが押下された場合は、ステップＳ３８に移行して、ＯＫ釦２３ａが押下されたタイミングで表示されていたマルチ画像が、図８（ｄ）に示されるように、ＬＣＤパネル２２に継続して表示される。このとき、ジャンプ送り操作が停止されるので、図８（ｃ）に破線で示されるようなマルチ画像の次画面や、ジャンプ先のコマの画像が表示されることはない。
【００６４】
尚、ＯＫ釦２３ａの押下によってマルチ画像表示が停止された場合は、その時の特定の画像、例えば、図８（ｄ）に示されるように、中央のコマの画像に選択枠が表示される。図８（ｄ）に示される例では、６コマ目に選択枠が表示されている。
【００６５】
或いは、選択枠で選択されたコマの画像を１コマだけ表示するようにしても良い。
【００６６】
このように、第３の実施の形態によれば、ジャンプ表示の途中に検索対象の画像が発見された場合や、ジャンプ表示を一時中断したい場合にも対応することができる。
【００６７】
（第４の実施の形態）
次に、本発明の第４の実施の形態について、図１０の画面の説明図及び図１１のフローチャートを参照して説明する。
【００６８】
この第４の実施の形態も、「マルチ画像ジャンプ送り」の処理動作の例であるが、上述した第１乃至第３の実施の形態がマルチ画像を９分割のみで表示していたのに対し、分割数を変えてマルチ画像表示するようにしたものである。
【００６９】
図１０（ａ）に示されるように、現在ＬＣＤパネル２２に１コマ目の画像が表示されているものとする。そして、下釦２１ｄが押下されると、本ルーチンに入る。ステップＳ４１では、先ず、現在表示中の画像のコマ番号（この場合“１”）の次画面の所定数に分割されたマルチ画像、この場合４分割のマルチ画像が、画像処理部１０等によって作成される。尚、このマルチ画像の作成方法については周知であるので、説明は省略する。
【００７０】
次いで、ステップＳ４２にて、図１０（ｂ）に示されるように、作成された第１画面目の４分割のマルチ画像がＬＣＤパネル２２に表示される。そして、ステップＳ４３に於いて、ＣＰＵ７内の図示されないタイマにより、所定時間、例えば１秒が経過したか否かが判断される。その結果、所定時間が経過していなければ上記ステップＳ４２へ移行し、経過していればステップＳ４４へ移行する。
【００７１】
ステップＳ４４では、現在表示中の第１画面目のマルチ画像より縦横方向とも１画面ずつ増した数に分割されたマルチ画像、この場合９分割のマルチ画像が、第２画面目のマルチ画像として画像処理部１０等によって作成される。
【００７２】
次いで、ステップＳ４５にて、図１０（ｃ）に示されるように、作成された第２画面目の９分割のマルチ画像がＬＣＤパネル２２に表示される。そして、ステップＳ４６に於いて、ＣＰＵ７内の図示されないタイマにより、所定時間、例えば１秒が経過したか否かが判断される。その結果、所定時間が経過していなければ上記ステップＳ４５へ移行し、経過していればステップＳ４７へ移行する。
【００７３】
ステップＳ４７では、ジャンプ先のコマ番号までに第２画面目のマルチ画像と同じ分割数のマルチ画像がまだ存在するか否かが判断される。ここで、まだマルチ画像がある場合は、次画面有りとして、上記ステップＳ４８に移行する。このステップＳ４８では、画面数がインクリメントされた後、上記ステップＳ３１へ移行する。その後、ステップＳ４４〜Ｓ４７の処理が繰り返される。
【００７４】
また、上記ステップＳ４７に於いて、現在と同じ分割数のマルチ画像が次画面に存在しない場合は、ステップＳ４９へ移行する。そして、このステップＳ４９にて、現在表示中のマルチ画像より縦横方向とも１画面ずつ減少された数に分割されたマルチ画像、この場合４分割のマルチ画像が、次画面のマルチ画像として画像処理部１０等によって作成される。
【００７５】
次いで、ステップＳ５０にて、図１０（ｄ）に示されるように、４分割のマルチ画像がＬＣＤパネル２２に表示される。このマルチ画像は、ステップＳ５１にてＣＰＵ７内の図示されないタイマにより所定時間、例えば１秒が経過したとされるまで、ＬＣＤパネル２２に表示される。
【００７６】
そして、ステップＳ５１にて、１秒が経過したならば、ステップＳ５２に移行して、図１０（ｅ）に示されるように、ジャンプ先のコマ番号である１１コマ目の画像がＬＣＤパネル２２に表示される。
【００７７】
このように、第４の実施の形態によれば、ジャンプ送りの操作開始後、例えば、１コマから４コマ、更には９コマと、段階的に分割数を増減させた表示を行うので、１コマの画像表示から多数に分割されたマルチ画像に切り替わる場合に比べて、短時間でマルチ画像を表示することができる。
【００７８】
また、段階的に分割数を変えているため、１画像あたりの大きさも段階的に切り替わるので、ユーザにとっても見易いものである。
【００７９】
更に、上述した第４の実施の形態では、マルチ画像を４分割と９分割として説明したが、これ以外の分割数でマルチ画像を構成しても構わない。
【００８０】
尚、図１０（ｂ）及び（ｄ）に示される４分割のマルチ画像は、図１０（ｃ）に示される９分割のマルチ画像の隣接する４つのコマを表示するようにしているが、これに限られるものではない。例えば、連続する４コマを表示するようにしても良いのは勿論である。
【００８１】
（第５の実施の形態）
次に、本発明の第５の実施の形態について、図１２の画面の説明図及び図１３のフローチャートを参照して説明する。
【００８２】
この第５の実施の形態も、「マルチ画像ジャンプ送り」の処理動作の例であるが、上述した第４の実施の形態に加えてジャンプ送り操作開始後のマルチ画像を非表示状態にしたものである。
【００８３】
図１２（ａ）に示されるように、ＬＣＤパネル２２に１コマ目の画像が表示されており、下釦２１ｄが押下されると本ルーチンに入る。そして、ステップＳ６１及びＳ６２にて、上述した図１１のフローチャートに於けるステップＳ４１及びＳ４２と同様に、現在表示中の画像のコマ番号（この場合“１”）の次画面のマルチ画像、この場合４分割のマルチ画像が、画像処理部１０等によって作成され、図１２（ｂ）に示されるように、ＬＣＤパネル２２に表示される。
【００８４】
ステップＳ６３では、上記４分割のマルチ画像が表示された状態で、下釦２１ｄの状態が判断される。ここで、下釦２１ｄが押下されたならば後述するステップＳ７５へ移行する。一方、下釦２１ｄが操作されない場合は、ステップＳ６４へ移行する。
【００８５】
ステップＳ６４では、ＣＰＵ７内の図示されないタイマにより、所定時間、例えば１秒が経過したか否かが判断される。その結果、所定時間が経過していなければ上記ステップＳ６２へ移行し、経過していればステップＳ６５へ移行する。
【００８６】
ステップＳ６５では、現在表示中の第１画面目のマルチ画像より縦横方向とも１画面ずつ増した数に分割されたマルチ画像、この場合９分割のマルチ画像が、第２画面目のマルチ画像として画像処理部１０等によって作成される。
【００８７】
次いで、ステップＳ６６にて、第２画面目の９分割のマルチ画像がＬＣＤパネル２２に表示される。更に、ステップＳ６７にて、上記９分割のマルチ画像が表示された状態で、下釦２１ｄの状態が判断される。ここで、下釦２１ｄが押下されたならば後述するステップＳ７５へ移行するが、下釦２１ｄが操作されない場合はステップＳ６８へ移行する。
【００８８】
ステップＳ６８では、ＣＰＵ７内の図示されないタイマにより、所定時間、例えば１秒が経過したか否かが判断される。その結果、所定時間が経過していなければ上記ステップＳ６６へ移行し、経過していればステップＳ６９へ移行する。
【００８９】
続くステップＳ６９〜Ｓ７２は、上述した図１１のフローチャートに於けるステップＳ４７〜Ｓ５０と同様であるので説明は省略する。
【００９０】
ステップＳ７３にて、上記４分割のマルチ画像が表示された状態で、下釦２１ｄの状態が判断される。ここで、下釦２１ｄが押下されたならば後述するステップＳ７５へ移行するが、下釦２１ｄが操作されない場合はステップＳ７４へ移行する。
【００９１】
ステップＳ７４では、ＣＰＵ７内の図示されないタイマにより、所定時間、例えば１秒が経過したか否かが判断される。その結果、所定時間が経過していなければ上記ステップＳ７２へ移行し、経過していればステップＳ７５へ移行する。そして、ステップＳ７５にて、図１２（ｅ）に示されるように、ジャンプ先のコマ番号である１１コマ目の画像がＬＣＤパネル２２に表示される。
【００９２】
ところで、上述したステップＳ６３、Ｓ６７及びＳ７３に於いて、下釦２１ｄが押下された場合は、ステップＳ７５に移行する。例えば、ステップＳ６３にて下釦２１ｄが押下されると、その時点で表示されている４分割のマルチ画像表示が消える。その後、図１２（ｃ）及び（ｄ）に示されるような９分割のマルチ画像及び４分割のマルチ画像は表示されないまま、ステップＳ７５に移行して、図１２（ｅ）に示されるように、ジャンプ先のコマ番号である１１コマ目の画像がＬＣＤパネル２２に表示される。
【００９３】
このように、第５の実施の形態によれば、ジャンプ送り操作が開始されて表示の途中に検索対象となる画像が発見された場合や、一時中断したい場合にも対応することができる。
【００９４】
（第６の実施の形態）
次に、本発明の第６の実施の形態について説明する。
【００９５】
図１４は、本発明の第６の実施の形態に於ける「連続再生画像ジャンプ送り」の画面の説明図であり、図１５は第６の実施の形態に於ける「連続再生画像ジャンプ送り」の動作を説明するフローチャートである。
【００９６】
尚、以下に述べる実施の形態に於いて、デジタルカメラの構成及び「連続再生画像ジャンプ送り」の処理動作以外は、上述した第１の実施の形態と同じであるので、同一の部分には同一の参照番号を付して説明は省略する。
【００９７】
図３のフローチャートに従って、上記ステップＳ７でマルチ画像表示ではないと判断されたならば、ステップＳ９の「連続再生画像ジャンプ送り」のルーチンに入る。
【００９８】
図６（ａ）に示されるように、現在ＬＣＤパネル２２に１コマ目の画像が表示された状態で下釦２１ｄが押下されると、本ルーチンに入る。そして、ステップＳ８１にて現在表示中の画像のコマ番号（この場合“１”）がインクリメントされ、連続再生画像のコマ番号の初期設定がなされ、続くステップＳ８２にてインクリメントされた画像のコマ番号（この場合“２”）の表示画像が、画像処理部１０等により作成される。
【００９９】
次いで、ステップＳ８３にて、ＣＰＵ内の図示されないタイマにより、上記作成された画像の表示時間が設定される。ここで、上記タイマの設定時間は、表示時間を長い時間から徐々に短くし、ジャンプする先の画像に近づくと徐々に長くなるように設定されている。例えば、下記表１に示される可変速表示の表示時間テーブルのようになっている。上記テーブルは、ＣＰＵ内または外付けのメモリ（図示せず）に記憶されている。
【表１】
2008079323.tif 000003
【０１００】
これによると、ジャンプ表示される間のコマ、この場合２コマ目と３コマ目は０．３秒間、次いで４コマ目と５コマ目は０．２秒間、６コマ目と７コマ目は０．１秒間、８コマ目は０．２秒間、９コマ目と１０コマ目は０．３秒間、それぞれ表示される。
【０１０１】
ステップＳ８４では、上記ステップＳ８２で作成されたコマの画像がＬＣＤパネル２２に表示される。そして、ステップＳ８５に於いて、上記ステップＳ８３で設定された所定時間が経過したか否かが判断される。これにより、コマ番号に対応した表示時間が判断される。
【０１０２】
次に、ステップＳ８６に於いて、連続再生の最後のコマ番号に到達したか否かが判断される。この場合、１０コマ目に到達していなければ、ステップＳ８７に移行してコマ番号がインクリメントされる。その後、上記ステップＳ８２に移行して、ステップＳ８２〜Ｓ８６の処理が繰り返される。これにより、図１４（ｂ）に示されるように、ジャンプされる途中の画像が時間変化をつけて表示される。
【０１０３】
一方、上記ステップＳ８６にて、連続再生の最後のコマ番号（この場合“１０”）に到達した場合は、ステップＳ８８に移行する。そして、このステップＳ８８にて、図１４（ｃ）に示されるように、ジャンプ先のコマ番号の画像がＬＣＤ２２に表示される。
【０１０４】
このように、第６の実施の形態によれば、ジャンプ先のコマまでを単純に連続的に表示するのではなく、移動感、ジャンプ感を強調するように途中の画像の表示時間に変化をつけたので、検索時にユーザが画像を検索しやすくなるうえ、途中を高速に表示することが可能になる。
【０１０５】
（第７の実施の形態）
次に、本発明の第７の実施の形態を説明する。
【０１０６】
上述した第６の実施の形態では、ジャンプされる途中の画像の表示時間を段階的に時間変化をつけて表示されていたのに対し、この第７の実施の形態では実際の撮影時間の間隔割合に対応して表示させるようにしている。
【０１０７】
そして、「連続再生画像ジャンプ送り」の処理動作は、図１５に示される第６の実施の形態に於けるフローチャートと同じであり、ステップＳ８３のタイマ設定時間のみ異なっている。
【０１０８】
つまり、タイマの設定時間は、下記表２に示されるとおりであり、図１６を参照して説明する。
【表２】
2008079323.tif 000004
【０１０９】
撮影時間データは各画像データに付帯され、メモリカード１１に記録されているので、ＣＰＵ７がそのデータを読み取り、時間差を算出して以下の処理を行う。
【０１１０】
いま、図１６（ａ）に示されるように、１コマ目の画像が表示された後、２コマ目の画像がジャンプされる途中の画像としてＬＣＤパネル２２に表示される。そして、２コマ目と３コマ目の撮影時間差Δｔ１は、上記表２から１時間以上であるので、０．６秒間表示される。更に、３コマ目と４コマ目の撮影時間差Δｔ２と、４コマ目と５コマ目の撮影時間差Δｔ３は１時間未満であるので、ともに０．３秒間表示される。同様にして、１０コマ目までの表示時間が求められる。すると、図１６（ｂ）に示されるように、撮影時間の間隔が短いコマと撮影時間とで、表示時間に差がつけられる。
【０１１１】
そして、ジャンプ先のコマ番号（“１１”）の画像が、図１６（ｃ）に示されるように、ＬＣＤ２２に表示される。
【０１１２】
このように、第７の実施の形態によれば、各コマを等時間で表示せずに撮影日時で強弱をつけて表示するようにしたので、検索しやすくなる。
【０１１３】
（第８の実施の形態）
次に、本発明の第８の実施の形態について、図１７の画面の説明図及び図１８のフローチャートを参照して説明する。
【０１１４】
この第８の実施の形態は、「連続再生画像ジャンプ送り」の処理動作の例であり、ジャンプ表示中の途中の画像を非表示状態にしたものである。
【０１１５】
図１７（ａ）に示されるように、ＬＣＤパネル２２に１コマ目の画像が表示されており、下釦２１ｄが押下されると本ルーチンに入る。そして、ステップＳ９１にて、現在表示中の画像のコマ番号（この場合“１”）がインクリメントされ、続くステップＳ９２にてインクリメントされた画像のコマ番号（この場合“２”）の表示画像が、画像処理部１０等により作成される。ステップＳ９３では、この作成された画像が、ＬＣＤパネル２２に表示される。
【０１１６】
ここで、ステップＳ９４に於いて、下釦２１ｄの状態が判断される。ここで、下釦２１ｄが押下されたならば後述するステップＳ９９へ移行する。一方、下釦２１ｄが操作されない場合は、ステップＳ９５へ移行する。
【０１１７】
ステップＳ９５では、予めＣＰＵ７内の図示されないタイマにより設定された所定時間、例えば１秒が経過したか否かが判断される。その結果、所定時間が経過していなければ上記ステップＳ９３へ移行し、経過していればステップＳ９６へ移行する。
【０１１８】
ステップＳ９６では、連続再生の最後のコマ番号に到達したか否かが判断される。この場合、１０コマ目に到達していなければ、ステップＳ９７に移行してコマ番号がインクリメントされる。その後、上記ステップＳ９２に移行して、ステップＳ９２〜Ｓ９６の処理が繰り返される。
【０１１９】
一方、上記ステップＳ９６にて、連続再生の最後のコマ番号（この場合“１０”）に到達した場合は、ステップＳ９８に移行する。そして、このステップＳ９８にて、図１８（ｃ）に示されるように、ジャンプ先のコマ番号の画像がＬＣＤ２２に表示される。
【０１２０】
ところで、上記ステップＳ９４にて下釦２１ｄが押下された場合は、ステップＳ９９にてジャンプされる途中の画像が非表示状態となる。例えば、図１７（ｂ）に破線で示されるように、６コマ目から１０コマ目の画像が表示されなくなる。そして、ステップＳ９８に移行してジャンプ先のコマ番号の画像が表示される。
【０１２１】
このように、第８の実施の形態によれば、一気にジャンプ先のコマに移行するような指示も許可し、使い勝手を向上させることができる。
【０１２２】
（第９の実施の形態）
次に、本発明の第９の実施の形態について、図１９の画面の説明図及び図２０のフローチャートを参照して説明する。
【０１２３】
この第９の実施の形態は、「連続再生画像ジャンプ送り」の処理動作の例であり、且つ表示中の途中の画像を継続的に表示させることを可能にしている。
【０１２４】
図１９（ａ）に示されるように、ＬＣＤパネル２２に１コマ目の画像が表示されており、下釦２１ｄが押下されると本ルーチンに入る。ステップＳ１０１〜Ｓ１０３までは、上述した図１８フローチャートに於けるステップＳ９１〜Ｓ９３と同様であるので説明は省略する。
【０１２５】
そして、ステップＳ１０４にて、途中の画像の表示中にＯＫ釦２３ａが操作されたか否かが判断される。ここで、ＯＫ釦２３ａが操作されない場合は、ステップＳ１０５に移行して、ＣＰＵ７内の図示されないタイマにより所定時間、例えば１秒が経過したか否かが判断される。その結果、所定時間が経過していなければ上記ステップＳ１０３へ移行し、経過していればステップＳ１０６へ移行する。
【０１２６】
ステップＳ１０６では、連続再生の最後のコマ番号に到達したか否かが判断される。この場合、１０コマ目に到達していなければ、ステップＳ１０７に移行してコマ番号がインクリメントされる。その後、上記ステップＳ１０２に移行して、ステップＳ１０２〜Ｓ１０６の処理が繰り返される。
【０１２７】
一方、上記ステップＳ１０６にて、連続再生の最後のコマ番号（この場合“１０”）に到達した場合は、ステップＳ１０８に移行する。そして、このステップＳ１０８にて、ジャンプ先のコマ番号の画像がＬＣＤ２２に表示される。
【０１２８】
上記ステップＳ１０４にて、図１９（ｂ）に示されるような途中の画像の表示中にＯＫ釦２３ａが押下された場合は、ステップＳ１０９に移行して、ＯＫ釦２３ａが押下されたタイミングで表示されていた途中の画像が、図１９（ｃ）に示されるように、ＬＣＤパネル２２に表示される。このとき、ジャンプ送り操作が停止されるので、図１９（ｂ）に破線で示されるような途中の画像が表示されることはない。
【０１２９】
このように、第９の実施の形態によれば、途中に検索対象の画像が発見された場合や、一時中断したい場合にも対応することができる。
【０１３０】
（第１０の実施の形態）
次に、本発明の第１０の実施の形態について、図２１の画面の説明図及び図２２のフローチャートを参照して説明する。
【０１３１】
この第１０の実施の形態は、「連続再生画像ジャンプ送り」の処理動作の例であり、且つ表示中の途中の画像のうち特定のコマ番号の画像だけ表示させるようにしたものである。
【０１３２】
図２１（ａ）に示されるように、ＬＣＤパネル２２に１コマ目の画像が表示されており、下釦２１ｄが押下されると本ルーチンに入る。そして、ステップＳ１１１にて、現在表示中の画像のコマ番号（この場合“１”）に所定のコマ数が加算される。このコマ数は適宜変更が可能であるが、ここでは１コマおきに途中の画像を表示させるべく“２”だけインクリメントされる。
【０１３３】
次いで、ステップＳ１１２にてインクリメントされた画像のコマ番号（この場合“３”）の表示画像が、画像処理部１０等により作成される。ステップＳ１１３では、この作成された画像が、ＬＣＤパネル２２に表示される。
【０１３４】
ステップＳ１１４では、ＣＰＵ７内の図示されないタイマにより所定時間、例えば１秒が経過したか否かが判断される。その結果、所定時間が経過していなければ上記ステップＳ１１３へ移行し、経過していればステップＳ１１５へ移行する。
【０１３５】
ステップＳ１１５では、連続再生の最後のコマ番号に到達したか否かが判断される。この場合、９コマ目に到達していなければ、ステップＳ１１６に移行してコマ番号が上記ステップＳ１１１の処理と同じ数（この場合２）だけインクリメントされる。その後、上記ステップＳ１１２に移行して、ステップＳ１１２〜Ｓ１１５の処理が繰り返される。
【０１３６】
一方、上記ステップＳ１１５において、連続再生の最後のコマ番号（この場合“９”）に到達した場合は、ステップＳ１１７に移行する。そして、このステップＳ１１７にて、図２２（ｃ）に示されるように、ジャンプ先のコマ番号の画像がＬＣＤ２２に表示される。
【０１３７】
このように、図２１（ｂ）に示されるように、ジャンプされる途中の画像の表示を所定数、例えば１コマおきにすることもできる。
【０１３８】
以上のように第１０の実施の形態によれば、ジャンプ表示の時間を短縮することができる。
【０１３９】
また、上述した実施の形態では、デジタルカメラについて説明したが、これに限られるものではない。記録媒体から画像を再生して表示することができるものであれば、カメラ以外、例えば携帯電話機のカメラ部、ＰＤＡ画像表示装置にも適用可能であるのは勿論である。
【０１４０】
以上、本発明の実施形態について説明したが、本発明は前述した実施形態に限定されるものではなく、本発明の要旨を逸脱しない範囲で種々の変形実施が可能であるのは勿論である。
【０１４１】
更に、前述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１４２】
【図１】本発明の第１の実施の形態に係るデジタルカメラの概略構成を示す機能ブロック図である。
【図２】本発明の第１の実施の形態に係るデジタルカメラを背面側から見た外観斜視図である。
【図３】本発明の第１の実施の形態に於けるデジタルカメラの画像表示動作を説明するフローチャートである。
【図４】本発明の第１の実施の形態に於ける「マルチ画像ジャンプ送り」の画面の説明図である。
【図５】本発明の第１の実施の形態に於ける「マルチ画像ジャンプ送り」の処理動作について説明するフローチャートである。
【図６】本発明の第２の実施の形態に於ける「マルチ画像ジャンプ送り」の画面の説明図である。
【図７】本発明の第２の実施の形態に於ける「マルチ画像ジャンプ送り」の処理動作について説明するフローチャートである。
【図８】本発明の第３の実施の形態に於ける「マルチ画像ジャンプ送り」の画面の説明図である。
【図９】本発明の第３の実施の形態に於ける「マルチ画像ジャンプ送り」の処理動作について説明するフローチャートである。
【図１０】本発明の第４の実施の形態に於ける「マルチ画像ジャンプ送り」の画面の説明図である。
【図１１】本発明の第４の実施の形態に於ける「マルチ画像ジャンプ送り」の処理動作について説明するフローチャートである。
【図１２】本発明の第５の実施の形態に於ける「マルチ画像ジャンプ送り」の画面の説明図である。
【図１３】本発明の第５の実施の形態に於ける「マルチ画像ジャンプ送り」の処理動作について説明するフローチャートである。
【図１４】本発明の第６の実施の形態に於ける「連続再生画像ジャンプ送り」の画面の説明図である。
【図１５】本発明の第６の実施の形態に於ける「連続再生画像ジャンプ送り」の動作を説明するフローチャートである。
【図１６】本発明の第７の実施の形態に於ける「連続再生画像ジャンプ送り」の動作を説明するフローチャートである。
【図１７】本発明の第８の実施の形態に於ける「連続再生画像ジャンプ送り」の画面の説明図である。
【図１８】本発明の第８の実施の形態に於ける「連続再生画像ジャンプ送り」の動作を説明するフローチャートである。
【図１９】本発明の第９の実施の形態に於ける「連続再生画像ジャンプ送り」の画面の説明図である。
【図２０】本発明の第９の実施の形態に於ける「連続再生画像ジャンプ送り」の動作を説明するフローチャートである。
【図２１】本発明の第１０の実施の形態に於ける「連続再生画像ジャンプ送り」の画面の説明図である。
【図２２】本発明の第１０の実施の形態に於ける「連続再生画像ジャンプ送り」の動作を説明するフローチャートである。
【符号の説明】
【０１４３】
１…撮影部、２…レンズ、３…撮像素子、４…撮像部、５…バス、７…ＣＰＵ、７ａ…画像表示制御部、８…操作部、９…ＤＲＡＭ、１０…画像処理部、１１…メモリカード、１２…画像表示部、１５…カメラ本体、２１…選択釦、２１ａ…上釦、２１ｂ…左釦、２１ｃ…右釦、２１ｄ…下釦、２２…表示パネル（ＬＣＤパネル）、２３ａ…ＯＫ釦。
【図１】
2008079323.tif 000005
【図２】
2008079323.tif 000006
【図３】
2008079323.tif 000007
【図４】
2008079323.tif 000008
【図５】
2008079323.tif 000009
【図６】
2008079323.tif 000010
【図７】
2008079323.tif 000011
【図８】
2008079323.tif 000012
【図９】
2008079323.tif 000013
【図１０】
2008079323.tif 000014
【図１１】
2008079323.tif 000015
【図１２】
2008079323.tif 000016
【図１３】
2008079323.tif 000017
【図１４】
2008079323.tif 000018
【図１５】
2008079323.tif 000019
【図１６】
2008079323.tif 000020
【図１７】
2008079323.tif 000021
【図１８】
2008079323.tif 000022
【図１９】
2008079323.tif 000023
【図２０】
2008079323.tif 000024
【図２１】
2008079323.tif 000025
【図２２】
2008079323.tif 000026